【事件の表示】
　特許第６２１６００９号発明「歯科用診療装置」の特許異議申立事件について、次のとおり決定する。
【結　論】
　特許第６２１６００９号の明細書及び特許請求の範囲を訂正請求書に添付された訂正明細書及び特許請求の範囲のとおり、訂正後の請求項９について訂正することを認める。
　特許第６２１６００９号の請求項１に係る特許を維持する。
　特許第６２１６００９号の請求項９に係る特許についての特許異議の申立てを却下する。
【理　由】
第１　手続の経緯 
　特許第６２１６００９号の請求項１及び９に係る特許についての出願は、平成２８年７月１３日に特許出願され、平成２９年９月２９日にその特許権の設定登録がされ、平成２９年１０月１８日に特許掲載公報が発行された。その後、その特許について、平成３０年４月１６日に特許異議申立人松本征二（以下「申立人」という。）により特許異議の申立てがされ、当審は、平成３０年７月３日に取消理由を通知した。特許権者は、その指定期間内である平成３０年８月３１日に意見書の提出及び訂正の請求を行った。
第２　訂正の適否についての判断
１　訂正の内容
　平成３０年８月３１日にされた訂正の請求（以下「本件訂正請求」という。また、本件訂正請求に係る訂正を「本件訂正」という。）は、本件特許の願書に添付した明細書及び特許請求の範囲（以下、それぞれ「本件明細書」、「本件特許請求の範囲」といい、図面を含めて「本件明細書等」という。）を、訂正請求書に添付した訂正明細書及び訂正特許請求の範囲のとおり訂正することを求めるものであり、その訂正の内容は以下のとおりである。 
（１）訂正事項１
　本件特許請求の範囲の請求項９を削除する。
（２）訂正事項２
　本件明細書の段落【００１７】を削除する。
　訂正事項２の明細書の訂正は、請求項９に関係するものであり、本件訂正請求は、請求項９を対象とするものである。
２　訂正の目的の適否、新規事項の有無、特許請求の範囲の拡張・変更の存否
（１）訂正事項１について
　訂正事項１は、請求項９を削除するものであるから、特許法第１２０条の５第２項ただし書第１号に規定する「特許請求の範囲の減縮」を目的とするものであり、本件明細書等に記載した事項の範囲内の訂正であり、実質上特許請求の範囲を拡張し、又は変更するものにも該当しないから、特許法第１２０条の５第９項で準用する第１２６条第５項及び第６項に適合するものである。
（２）訂正事項２について
　訂正事項２は、訂正事項１に係る訂正に伴って特許請求の範囲と発明の詳細な説明との整合を図るものであるから、特許法第１２０条の５第２項ただし書第３号に規定する「明瞭でない記載の釈明」を目的とするものである。
　また、訂正事項２は、上記（１）で判断したところによれば、本件明細書等に記載した事項の範囲内の訂正であり、実質上特許請求の範囲を拡張し、又は変更するものにも該当しないから、特許法第１２０条の５第９項で準用する第１２６条第５項及び第６項に適合するものである。
３　小括 
　以上のとおりであるから、本件訂正は特許法第１２０条の５第２項ただし書第１号及び第３号に掲げる事項を目的とするものであり、かつ、同条第９項において準用する同法第１２６条第５項及び第６項までの規定に適合するので、訂正後の請求項９について訂正を認める。 
第３　特許異議の申立てについて
１　本件発明 
　上記第２のとおり、本件訂正請求が認められ、特許異議の申立ての対象となる請求項９に係る特許は削除されたため、特許異議の申立ての対象として存在するものは、請求項１に係る特許のみとなる。
　請求項１に係る発明（以下「本件発明１」という。）は、本件特許請求の範囲の請求項１に記載した事項により特定される次のとおりのものである。
「【請求項１】
　歯科診療に供される歯科用診療装置であって、
　操作手段と、
　術者が前記操作手段を操作した内容を記憶手段に記録する操作検知記録手段と、
　予め定められた異常を検知すると異常の内容を前記記憶手段に記録する異常検知記録手段と、
を備え、
　複数若しくは単数の術者毎に又は患者毎に対応可能な動作モードを有し、
　前記操作検知記録手段は、術者毎に又は患者毎に前記操作手段を操作した操作内容及び術者名若しくは患者名を前記記憶手段に記録し、
　前記異常検知記録手段は、予め定められた異常を検知すると異常の内容及び術者名若しくは患者名を前記記憶手段に記録することを特徴とする歯科用診療装置。」 
２　取消理由の概要
　請求項１に係る特許に対しては、取消理由を通知していない。
　訂正前の請求項９に係る特許に対して平成２９年８月８日付けで特許権者に通知した取消理由の概要は、次のとおりである。
（１）取消理由１ 
　本件特許は、その特許請求の範囲の請求項９の記載が特許法第３６条第６項第２号に適合しないため、特許法第３６条第６項に規定する要件を満たしていない特許出願に対してされたものであり、取り消すべきものである。　
（２）取消理由２ 
　本件特許の請求項９に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　　　　　　　　　　　　　　　　記　　　　　　　　　　　　　　　　
　刊行物１：特開２０１３−４２９０３号公報 
　刊行物２：特開２００９−２７３７１８号公報 
　上記刊行物１及び２は、申立人が証拠として提出した甲第１及び４号証である。
３　判断 
　上記第２のとおり、本件訂正請求が認められ、特許異議の申立ての対象となる請求項９に係る特許は削除されたため、かかる請求項９に対する取消理由１及び２は存在しなくなった。
４　取消理由通知において採用しなかった特許異議申立理由について
　上記１でも述べたとおり、特許異議の申立ての対象として存在するものは、請求項１に係る特許のみであるため、以下、請求項１に係る発明に対する特許異議申立理由について検討する。
　申立人は、特許異議申立書において、以下の旨主張する。
理由１　請求項１の記載は、発明の詳細な説明に記載された発明の課題を解決する手段が反映されていないため、特許法第３６条第６項第１号の要件を満たさない。
理由２　請求項１に係る発明は、甲第１号証に記載された発明及び甲第２〜８号証に示される周知技術から、あるいは、甲第１号証に記載された発明及び甲第２〜９号証に示される周知技術から、当業者が容易に想到しうる発明であり、同法第２９条第２項の要件を満たさない。
甲第１号証：特開２０１３−４２９０３号公報
甲第２号証：特開平６−７８９１９号公報
甲第３号証：特開２００７−３７６８７号公報
甲第４号証：特開２００９−２７３７１８号公報
甲第５号証：特開２０１６−６７５３２号公報
甲第６号証：特開平９−１１４９０３号公報
甲第７号証：特開２０１５−２３０６３１号公報
甲第８号証：特開２０１６−４２２３１号公報
甲第９号証：特開２００４−１０５５３３号公報
（１−１）理由１について
　特許法第３６条第６項は、「第二項の特許請求の範囲の記載は、次の各号に適合するものでなければならない。」と規定し、その第１号において「特許を受けようとする発明が発明の詳細な説明に記載したものであること。」と規定している。同号は、明細書のいわゆるサポート要件を規定したものであって、特許請求の範囲の記載が明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである（知財高裁特別部判決　平成１７年（行ケ）第１００４２号参照）。  
　以下、この観点に立って検討する。
　申立人は、理由１の根拠として、特許異議申立書２３頁４行〜２５頁４行の「３（４）エ（ア）」において、「本件特許発明１．．．の課題は、歯科用診療装置にて発生する不具合に対して修理を容易にさせることである。そうすると、異常検知記録手段が記録する異常は、歯科用診療装置が検知する様々な異常のうち、修理にかかわる異常でなければならず、少なくとも、歯科用診療装置が検知できる様々な異常のすべてではなく、そのうちの一部の異常のみに限ったものでなければならない。しかしながら、構成要件Ｄは、『予め定められた異常』としか記載していないため、『歯科用診療装置が検知する、ありとあらゆるすべての異常』が異常検知記録手段の記録対象となり得る」ことを挙げている。
　確かに、申立人の主張するとおり、発明の詳細な説明の段落【０００６】には、「歯科用診療装置にて発生する不具合に対して修理を容易にさせることのできる歯科用診療装置を提供すること」が記載されているものの、段落【００１８】の「不具合発生以前に術者の操作履歴を記録しておくので不具合の再現性を高めることができる。」という【発明の効果】の記載をも考慮すれば、【発明が解決しようとする課題】は、段落【０００５】に記載された「単なる異常発生情報しか取得できていないときには、歯科用診療装置に
発生した不具合をサービスマンが現場で修理する場合、不具合を再現しようとしても、どのような条件で不具合が発生したのか不明である」こと（以下「本件課題」という。）であるといえる。
　そして、当業者が本件課題を解決できると認識できるためには、「発生した不具合」と「どのような条件で不具合が発生したのか」を関連づけて記憶する構成であれば足り、「発生した不具合」である「予め定められた異常」の内容を、修理にかかわる異常とすることまでは要しないといえる。
　そこで、本件発明１について検討すると、特許請求の範囲の請求項１には、「予め定められた異常を検知すると異常の内容を前記記憶手段に記録する異常検知記録手段」を備え、「前記異常検知記録手段は、予め定められた異常を検知すると異常の内容及び術者名若しくは患者名を前記記憶手段に記録する」構成が記載されており、「発生した不具合」と「どのような条件で不具合が発生したのか」を関連づけて記憶することが特定されているといえることから、特許請求の範囲の請求項１に記載された発明は、発明の詳細な説明に記載された発明で、発明の詳細な説明の記載により当業者が当該発明の課題を解決できると認識できる範囲のものであるといえる。
　したがって、請求項１の記載は、特許法第３６条第６項第１号の要件を満たさないとはいえないものである。
（１−２）理由２について
ア　甲号証の記載事項等
（ア）甲第１号証の記載事項等
　　甲第１号証には、以下の事項等が記載されている。  
（１ａ） 
 「【請求項１】 
　
被検体を撮像する画像診断装置であって、
　
前記画像診断装置は、
　
前記被検者の撮像開始から撮像終了までの一連の第１シーケンスの内、１つ１つの操作をＡ（１）操作からＡ（ｎ）操作からなるＡ（ｉ）操作として記憶し、且つ前記第１シーケンスと異なる第２シーケンスに対しても同様に前記Ａ（ｉ）操作を記憶する操作記録部と、
　
前記Ａ（ｉ）操作をｍ個の操作ごとのブロックにまとめるブロック化手段と、
　
前記ブロック化されたｍ個の操作に基づいて、Ａ（ｉ）操作に続くＡ（ｉ＋１）操作の確率を計算する確率計算部と、
　
前記Ａ（ｉ）操作を表示する表示部と、
　
前記Ａ（ｉ）操作の操作がなされた後、前記確率が計算された一番高い確率のＡ（ｉ＋１）操作を前記表示部に表示させる表示制御部と、 
を備える画像診断装置。
　
但し、ｉ及びｎは自然数、ｍは自然数でｎ＞ｍ＞１を満たす。
 ・・・ 
【請求項７】 
　
前記画像診断装置に警告又はトラブルが生じた際に、前記表示制御部は、前記表示部に警告又はトラブルを解消させる、確率が一番高いＡ（ｉ＋１）操作を表示させるとともに次に確率が高いＡ（ｉ＋１）操作を表示させる
  
（１ｂ） 
「【技術分野】 
【０００１】 
　本発明は、操作ガイド機能を備える画像診断装置に関する。 
【背景技術】 
【０００２】 
　
画像診断装置を操作する操作者は、医師などの指示に適応する撮影方法を画像診断装置の数十から数百種類ある撮影方法のデータベースの中から選択している。
  
（１ｃ） 
「【００１６】 
　以下、本発明の実施形態を図面に基づいて詳細に説明する。以下の実施形態では
磁気共鳴イメージング装置用の操作ガイド機能について説明する
【００１７】 
＜＜第１実施形態＞＞ 
＜磁気共鳴イメージング装置の構成＞ 
　図１は、第１実施形態の
磁気共鳴イメージング装置１０
【００１８】 
　
磁気共鳴イメージング装置１０
表示部１８０及び操作部１９０を有する。
  
（１ｄ） 
「【００２９】 
＜操作記録部＞ 
　演算部１７１の
操作記録部１７５は、操作者（習得者）が被検者ＳＢを寝台１１０に載置して撮像を開始し始める時点から被検者ＳＢを寝台１１０から下ろす時点までのすべての操作を記録することが可能である。また、操作記録部１７５は、被検者ＳＢを寝台１１０に載置して撮像を開始し始める時点から被検者ＳＢを寝台１１０から下ろす時点までの一部の操作を記憶することも可能である。
【００３０】 
　
操作記録部１７５は、最初の操作を操作Ａ（１）とした場合、被検者ＳＢごとに操作Ａ（１）から操作終了の操作Ａ（ｎ）までを記録する。
【００３１】 
　第１被検者ＳＢ１の一連の撮像開始から撮影終了までの操作を第１シーケンスＳＱ１（図３を参照）とすると、操作記録部１７５は、複数の操作Ａ（ｉ）からなる第１シーケンスＳＱ１を記憶する。また、第２被検者ＳＢ２の一連の撮像開始から撮影終了までの操作を第２シーケンスＳＱ２（図３を参照）とすると、操作記録部１７５は、複数の操作Ａ（ｉ）からなる第２シーケンスＳＱ２を記憶することができる。なお、ｉは自然数である。 
【００３２】 
　このように、操作記録部１７５は、被検者ＳＢごとにシーケンスＳＱを増やすことができ、複数のシーケンスＳＱがデータベース化される。 
・・・
【００４０】
＜確率計算部及びブロック化手段＞
　演算部１７１の
確率計算部１７６
【００４１】
　確率計算部１７６及びブロック化手段１７８は、操作記録部１７５の学習モードの終了時または所定のタイミングで実行される。ブロック化手段１７８は、シーケンスＳＱを１以上の操作Ａ（ｉ）からなるブロックＢに分ける。そして確率計算部１７６は、操作Ａ（ｉ＋１）の操作内容ｏｐの確率を計算する。
　図４は、確率計算部１７６のフローチャートである。」 
（１ｅ） 
「【００８７】 
＜＜第３実施形態＞＞ 
　第３実施形態の操作記録部１７５は、警告またはトラブルに対して、未習得者に対応させることも可能である。通常の操作状況において、未習得者は、突発的な警告またはトラブルに対応できないことが多い。操作記録部１７５は、警告またはトラブルに対して、習得者が採った複数の操作Ａを記録する。そして、未習得者が同様な警告またはトラブルに遭遇した際に、
表示制御部１７７は、警告またはトラブルに対応する、次の操作Ａ（ｉ＋１）を表示する
【００８８】 
　警告には、軽微な警告から重度の警告まで様々ある。このため、未習得者は表示された警告に対して操作を続行してよいものか、パラメータの変更をすればよいのかの判断に迷う。軽度の警告の一例として、ＳＡＲ（ｓｐｅｃｉｆｉｃ ａｂｓｏｒｐｔｉｏｎ ｒａｔｅ：比吸収率）の警告がある。ＳＡＲは、磁気共鳴イメージング装置１０におけるＲＦパルスを被検者ＳＢに用いた場合のジュール熱の発生状況を示している。ＳＡＲは、磁気共鳴イメージング装置１０ごとに設定値が設定されている。磁気共鳴イメージング装置１０の操作中にＳＡＲが設定値以上になると、演算部１７１は警告表示を行う。 
【００８９】 
　図１６は、警告またはトラブル時のフローチャートである。 
　
ステップＳ３１において、操作者（習得者）は、エラー記録モードのスイッチＥＲ（図８を参照）を押す。
【００９０】 
　ステップＳ３２において、操作記録部１７５は、発生した警告またはトラブルを記録する。また、操作記録部１７５はエラー記録モードのスイッチＥＲが押された一つ前の事象（警告またはトラブル）を記録する。 
　ステップＳ３３において、操作記録部１７５はカウンタｉを１にセットする。 
【００９１】 
　ステップＳ３４において、操作記録部１７５は、操作Ａ（ｉ）として、習得者が操作する操作内容ｏｐとカウンタとを収集する。操作Ａ（ｉ）に、習得者の任意のコメントが付け加えられてもよい。例えば、習得者が例えばトラブル対処方法などのコメントを入力し、操作記録部１７５は、そのコメントを記憶することが可能である。未習得者は、警告またはトラブルの情報を共有することが可能であり、警告またはトラブルを解決する手法の一手段をしてコメントを利用することが可能である。 
【００９２】 
　ステップＳ３５において、演算部１７１は、エラー記録モードを終了するかを判断する。操作記録部１７５は、エラー記録モードが終了されるまでステップＳ３６に移動し、操作Ａ（ｉ）を記録する。習得者が点灯しているスイッチＥＲを再度押すと、エラー記録モードが終了し、ステップＳ３７に移動する。」 
  
　上記（１ａ）〜（１ｅ）の記載を総合すると、甲第１号証には、以下の発明（以下「甲１発明」という。）が記載されている。 
  
「被検体ＳＢを撮像する磁気共鳴イメージング装置１０であって、 
　前記磁気共鳴イメージング装置１０は、 
　操作部１９０と 
　前記被検者ＳＢの撮像開始から撮像終了までの一連の第１シーケンスの内、１つ１つの操作をＡ（１）操作からＡ（ｎ）操作からなるＡ（ｉ）操作として記憶し、且つ前記第１シーケンスと異なる第２シーケンスに対しても同様に前記Ａ（ｉ）操作を記憶する操作記録部１７５と、 
　前記Ａ（ｉ）操作をｍ個の操作ごとのブロックにまとめるブロック化手段と、 
　前記ブロック化されたｍ個の操作に基づいて、Ａ（ｉ）操作に続くＡ（ｉ＋１）操作の確率を計算する確率計算部１７６と、 
　前記Ａ（ｉ）操作を表示する表示部１８０と、 
　前記Ａ（ｉ）操作の操作がなされた後、前記確率が計算された一番高い確率のＡ（ｉ＋１）操作を前記表示部に表示させる表示制御部１７７と、 
を備え、 
　前記磁気共鳴イメージング装置１０に警告又はトラブルが生じた際に、操作者が、エラー記録モードのスイッチＥＲを押すと、前記操作記録部１７５は、発生した警告またはトラブルを記録するとともに、エラー記録モードのスイッチＥＲが押された一つ前の事象（警告またはトラブル）を記録し、 
　前記表示制御部１７７は、前記表示部１８０に警告又はトラブルを解消させる、確率が一番高いＡ（ｉ＋１）操作を表示させるとともに次に確率が高いＡ（ｉ＋１）操作を表示させる磁気共鳴イメージング装置１０。 
　但し、ｉ及びｎは自然数、ｍは自然数でｎ＞ｍ＞１を満たす。」 
 
イ　当審の判断  
  
（ア）対比  
　本件発明１と甲１発明とを対比する。  
ａ　甲第１号証には、「画像診断装置を操作する操作者は、医師などの指示に適応する撮影方法を画像診断装置の数十から数百種類ある撮影方法のデータベースの中から選択している。」（摘示（１ｂ））と記載されていることから、上記「画像診断装置」である甲１発明の「磁気共鳴イメージング装置１０」は、医療に供される診療装置であるといえる。　そうすると、「歯科診療」も「医療」に含まれる概念であることを踏まえると、甲１発明の「磁気共鳴イメージング装置１０」と本件発明１の「歯科診療に供される歯科用診療装置」は、「医療に供される診療装置」を限度として共通する。 
  
ｂ　甲１発明の「操作部１９０」が、その機能・構成から本件発明１の「操作手段」に相当する。 
  
ｃ　甲１発明における「操作」は、甲第１号証には明記されていないものの、「術者」により行われていることは明らかであるから、「前記被検者ＳＢの撮像開始から撮像終了までの一連の第１シーケンスの内、１つ１つの操作をＡ（１）操作からＡ（ｎ）操作からなるＡ（ｉ）操作として記憶し、且つ前記第１シーケンスと異なる第２シーケンスに対しても同様に前記Ａ（ｉ）操作を記憶する操作記録部１７５」が、本件発明１の「術者が前記操作手段を操作した内容」が「記録」される「記憶手段」に相当する。 
  
ｄ　甲１発明は、「操作記録部１７５」に「操作を記憶」しており、「操作」を検知しなければ「記憶」できないことは明らかであることも踏まえると、甲第１号証には明記されていないものの、甲１発明は、本件発明１の「操作検知記録手段」に相当する構成を備えているといえる。 
  
ｅ　上記ａを踏まえると、甲１発明の「被験者ＳＢ」は、本件発明１の「患者」に相当し、加えて、上記ｄをも踏まえると、甲１発明の「操作検知記録手段」に相当する構成が、「操作記録部１７５」に、「前記被検者ＳＢの撮像開始から撮像終了までの一連の第１シーケンスの内、１つ１つの操作をＡ（１）操作からＡ（ｎ）操作からなるＡ（ｉ）操作として記憶」する構成と、本件発明１の「操作検知記録手段」が、「術者毎に又は患者毎に前記操作手段を操作した操作内容及び術者名若しくは患者名を前記記憶手段に記録」する構成とを対比すると、両者は「操作検知記録手段」が、「術者毎に又は患者毎に前記操作手段を操作した操作内容を前記記憶手段に記録」する構成を限度として共通する。
  
　上記ａ〜ｅを総合すると、本件発明１と甲１発明との一致点及び相違点は以下のとおりである。 
 　 
＜一致点＞ 
「医療に供される診療装置であって、 
　操作手段と、 
　術者が前記操作手段を操作した内容を記憶手段に記録する操作検知記録手段と、 
を備え、 
　前記操作検知記録手段は、術者毎に又は患者毎に前記操作手段を操作した操作内容を前記記憶手段に記録する診療装置。」  
  
＜相違点１＞  
　本件発明１の「医療に供される診療装置」は、「歯科診療に供される歯科用診療装置」であるのに対し、甲１発明の「磁気共鳴イメージング装置１０」は、そうではない点。 
  
＜相違点２＞ 
　本件発明１は、「予め定められた異常を検知すると異常の内容を前記記憶手段に記録する異常検知記録手段」を備え、「前記異常検知記録手段は、予め定められた異常を検知すると異常の内容及び術者名若しくは患者名を前記記憶手段に記録する」のに対し、甲１発明は、そのような特定がされていない点。 
＜相違点３＞
　本件発明１は、「複数若しくは単数の術者毎に又は患者毎に対応可能な動作モードを有し」ているのに対し、甲１発明は、そのような動作モードを有していない点。
＜相違点４＞
　本件発明１の「操作検知記録手段」は、「術者名若しくは患者名を前記記憶手段に記録」しているのに対し、甲１発明の「操作検知記録手段」に相当する構成は、それを記録していない点。
（イ）判断  
　事案に鑑み、相違点３について検討する。
　本件発明１の「動作モード」に関し、本件明細書段落【００４０】には、「本実施形態では、歯科用診療装置１は、複数の術者毎に対応可能な動作モードを有することとしており、操作表示手段２１０は、術者毎の動作モードで歯科用椅子１０４を操作することができる。」と記載され、本件明細書段落【００８２】には、「前記実施形態では、歯科用診療装置１は、複数の術者毎に対応可能な動作モードを有することとしたが、単数の術者に対応可能な動作モードであっても構わない。また、患者毎に対応可能な動作モードを有することとしてもよい。この場合、操作検知記録手段２６０は、患者毎に、複数又は単数の術者が操作手段を操作した操作内容及び術者名若しくは患者名を操作履歴記憶手段２７０に記録する。」と記載されており、本件発明１の「動作モード」とは、「複数若しくは単数の術者毎に又は患者毎に対応」して、「歯科用診療装置」を操作するための構成であると認められる。
　それに対し、甲１発明は、「被検者ＳＢの撮像開始から撮像終了までの一連の第１シーケンスの内、１つ１つの操作をＡ（１）操作からＡ（ｎ）操作からなるＡ（ｉ）操作として記憶し、且つ前記第１シーケンスと異なる第２シーケンスに対しても同様に前記Ａ（ｉ）操作を記憶」し、「磁気共鳴イメージング装置１０に警告又はトラブルが生じた際に、操作者が、エラー記録モードのスイッチＥＲを押すと、前記操作記録部１７５は、発生した警告またはトラブルを記録するとともに、エラー記録モードのスイッチＥＲが押された一つ前の事象（警告またはトラブル）を記録し、前記表示制御部１７７は、前記表示部１８０に警告又はトラブルを解消させる、確率が一番高いＡ（ｉ＋１）操作を表示させるとともに次に確率が高いＡ（ｉ＋１）操作を表示させ」ている。
　すなわち、甲１発明の、「１つ１つの操作」を記憶した「第１シーケンス」及び「第２シーケンス」は、「被験者ＳＢ」に対応して「磁気共鳴イメージング装置１０」を操作するための構成ではなく、「装置に警告又はトラブルが生じた際に、・・・前記表示部に警告又はトラブルを解消させる、確率が一番高いＡ（ｉ＋１）操作を表示させるとともに次に確率が高いＡ（ｉ＋１）操作を表示させる」ための構成であるから、甲１発明の「第１シーケンス」及び「第２シーケンス」は、本件発明１の「動作モード」に相当する構成とはいえない。
　さらに、甲第２〜第９号証にも、本件発明１の「動作モード」に相当する構成は記載も示唆もされていない。
　したがって、甲第２〜第９号証を参照しても、相違点３に係る本件発明１の構成は、当業者が容易に想到できるものとはいえない。
　そうすると、相違点１、２及び４について判断するまでもなく、本件発明１は、甲１発明及び甲第２〜第９号証に記載された技術的事項に基いて、当業者が容易に発明できたものであるとはいえない。
第４　むすび 
　以上のとおり、請求項１に係る特許については、特許異議申立書に記載した特許異議申立理由によっては、取り消すことはできない。
　また、他に請求項１に係る特許を取り消すべき理由を発見しない。
　さらに、請求項９に係る特許は、訂正により削除されたため、本件特許の請求項９に対して、申立人がした特許異議の申立てについては、対象となる請求項が存在しない。
　よって、結論のとおり決定する。
【異議決定日】
平成３０年９月２８日（２０１８．９．２８）
【訂正の要旨】
審決（決定）の【理由】欄参照。
（５４）【発明の名称】
歯科用診療装置
　【技術分野】
　【０００１】
　本発明は、歯科用診療装置に関する。
　【背景技術】
　【０００２】
　従来、歯科用診療装置として、Ｘ線撮影装置、Ｘ線ＣＴ装置、レーザ装置、歯科用椅子装置、歯科用ユニット等の比較的大型の装置や、歯科用インスツルメントや歯科用小機器等の小型の機器や工具が歯科診療に供されている。
　例えば、歯科用椅子等の、動力によって高さや姿勢を変化させる椅子では、術者がスイッチを操作することにより、例えば座部の上下や傾動等を行っている。そして、椅子の動作を制御する制御部では各個所の異常が発生したか否かを監視し、異常が発生し故障したと判断すると、音によって椅子の状態を術者に報知するのが一般的である（例えば特許文献１参照）。
　【０００３】
　歯科用椅子を備える歯科用診療装置が故障した場合、術者や歯科医院のスタッフは、例えば、サービスマンを呼んで現場で修理してもらう。なお、遠隔操作による保守システムを利用することも可能である（例えば特許文献２参照）。歯科用診療装置に異常が発生したことを知らせる情報は、保守記録データとして蓄積し、データベース化することもできる。
　【先行技術文献】
　【特許文献】
　【０００４】
　【特許文献１】特許第３６７９６６２号公報
　【特許文献２】特許第４５６９７３１号公報
　【発明の概要】
　【発明が解決しようとする課題】
　【０００５】
　しかしながら、単なる異常発生情報しか取得できていないときには、歯科用診療装置に発生した不具合をサービスマンが現場で修理する場合、不具合を再現しようとしても、どのような条件で不具合が発生したのか不明であるため、不具合を修正するまでに労力と時間が掛かってしまうという問題があった。
　【０００６】
　そこで、本発明では、前記した問題を解決し、歯科用診療装置にて発生する不具合に対して修理を容易にさせることのできる歯科用診療装置を提供することを課題とする。
　【課題を解決するための手段】
　【０００７】
　前記課題を解決するために、本発明に係る歯科用診療装置は、歯科診療に供される歯科用診療装置であって、操作手段と、術者が前記操作手段を操作した内容を記憶手段に記録する操作検知記録手段と、予め定められた異常を検知すると異常の内容を前記記憶手段に記録する異常検知記録手段と、を備え、複数若しくは単数の術者毎に又は患者毎に対応可能な動作モードを有し、前記操作検知記録手段は、術者毎に又は患者毎に前記操作手段を操作した操作内容及び術者名若しくは患者名を前記記憶手段に記録し、前記異常検知記録手段は、予め定められた異常を検知すると異常の内容及び術者名若しくは患者名を前記記憶手段に記録することを特徴とする。
　【０００８】
　かかる構成によれば、歯科用診療装置は、術者が操作した内容と異常の内容とを記憶手段に記録する。これにより、歯科用診療装置で不具合が発生した際に、サービスマンは、不具合発生以前に記録された術者の操作履歴を調査することで不具合の原因を特定し易くなる。したがって、従来は現場で再現が難しかった不具合を再現することが可能となり、そのような不具合の修正時間を大幅に短縮させることができる。
　【００１０】
　かかる構成によれば、歯科用診療装置は、動作モードに応じて例えば術者が操作した内容及び術者名と、異常の内容及び術者名と、を記憶手段に記録する。これにより、異常発生時に術者名が保存されるので、サービスマンは、どの術者に取材すればよいのかを知ることができる。したがって、不具合の修正時間を大幅に短縮させることができる。
　【００１１】
　また、本発明に係る歯科用診療装置は、少なくとも歯科用椅子を含み、前記操作手段が前記歯科用椅子を操作する操作手段を含むこととしてもよい。この場合、歯科用椅子に発生する不具合に対して修理を容易にすることで、歯科用診療装置の中で最も長く歯科診療に供される歯科用椅子が使用できない時間を短縮することができる。
　【００１２】
　また、本発明に係る歯科用診療装置は、歯科診療に供される歯科用診療装置であって、操作手段と、術者が前記操作手段を操作した内容を記憶手段に記録する操作検知記録手段と、予め定められた異常を検知すると異常の内容を前記記憶手段に記録する異常検知記録手段と、を備え、前記予め定められた異常を検知した場合、前記操作検知記録手段は前記記憶手段への記録動作を停止することを特徴とする。かかる構成によれば、歯科用診療装置は、不具合が発生した場合、例えば術者が操作手段を操作した内容の書き込みを停止する。これにより、歯科用診療装置で不具合が発生した際に、サービスマンは、例えば最後に記録された操作の内容を、不具合発生の原因として特定することができる。
　【００１３】
　また、本発明に係る歯科用診療装置は、前記予め定められた異常の条件を設定する条件設定手段を備え、前記異常検知記録手段が、前記条件設定手段により設定された条件に基づいて異常を検知することとしてもよい。これにより、サービスマンは、修理が必要な異常についての条件を予め設定しておくことで、歯科用診療装置で不具合が発生した際に、不具合発生の原因を容易に特定することができる。
　【００１４】
　また、本発明に係る歯科用診療装置は、前記記憶手段がリングバッファで構成されていることが好ましい。かかる構成によれば、記憶手段はメモリ容量が小さくてよいのでコストを低減できる。
　【００１５】
　また、本発明に係る歯科用診療装置は、前記操作検知記録手段で記録した記録情報と前記異常検知記録手段で記録した記録情報とを表示する表示手段を設けることが好ましい。かかる構成によれば、サービスマンは表示手段を別途用意せずに記録情報を確認することができる。
　【００１６】
　また、本発明に係る歯科用診療装置は、歯科診療に供される歯科用診療装置であって、操作手段と、術者が前記操作手段を操作した内容を記憶手段に記録する操作検知記録手段と、予め定められた異常を検知すると異常の内容を前記記憶手段に記録する異常検知記録手段と、を備え、前記操作検知記録手段、前記記憶手段及び前記異常検知記録手段を有する携帯端末と、前記携帯端末と通信可能な通信手段と、を備え、前記操作手段が、前記携帯端末のタッチパネルで構成され、歯科用椅子を駆動する駆動機構及び歯科用のインスツルメントを駆動する駆動回路に対して、前記通信手段を介して駆動指示を入力することを特徴とする。
　さらに、前記操作手段が、前記駆動機構及び前記駆動回路に対して駆動指示を入力するフットコントローラをさらに含み、前記通信手段が、前記フットコントローラから入力する駆動指示を、前記操作検知記録手段に入力するように構成してもよい。
　かかる構成によれば、既存の歯科用診療装置に通信手段を設けて、前記機能を有する携帯端末を追加することで、当該歯科用診療装置をバージョンアップしたり、新規の歯科用診療装置を低コストで製造したりすることができる。
　【００１７】
（削除）
　【発明の効果】
　【００１８】
　本発明に係る歯科用診療装置は、不具合発生以前に術者の操作履歴を記録しておくので不具合の再現性を高めることができる。したがって、歯科用診療装置にて発生する不具合に対して修理を容易にさせることができる。その結果、不具合の修正時間を大幅に短縮させることができる。
　【図面の簡単な説明】
　【００１９】
　【図１】本発明の実施形態に係る歯科用診療装置を模式的に示す構成図である。
　【図２】本発明の実施形態に係る歯科用診療装置を模式的に示すブロック図である。
　【図３】ユーザー選択画面の一例を示す図である。
　【図４】ユニット待機画面の一例を示す図である。
　【図５】タービン操作画面の一例を示す図である。
　【図６】操作履歴記憶手段の一例を模式的に示す図である。
　【図７】記録動作開始直後におけるサービスマン操作画面の一例を示す図である。
　【図８】記録動作終了後におけるサービスマン操作画面の一例を示す図である。
　【発明を実施するための形態】
　【００２０】
　以下、本発明の歯科用診療装置を実施するための形態（以下「実施形態」という）では、歯科医院等で通常の一般的な歯科診療に供される、歯科用椅子を含む歯科用ユニットを歯科用診療装置の一例として図面を参照して詳細に説明する。
　【００２１】
［歯科用診療装置の構成］
　歯科用診療装置１は、図１に示すように、ユニット本体１０１とハンガー１０２とを含む装置本体１００と、ハンガー１０２の上のテーブル１０３と、歯科用椅子１０４と、携帯端末２００と、を主に備えている。
　【００２２】
　ユニット本体１０１は、歯科用椅子１０４を駆動するための駆動機構や、歯科用のインスツルメント１１０を駆動するための駆動回路等を内蔵している。このユニット本体１０１は歯科治療用設備に連結されている。ここで、歯科治療用設備には、例えば、オートカラン（コップ自動給水栓）、スピットン、無影灯、バキューム等が含まれるが、これらの図示及び説明は省略する。
　【００２３】
　ハンガー１０２は、複数のインスツルメント１１０を脱着自在に収納するものである。ハンガー１０２は、複数のホルダを有しており、各ホルダにインスツルメント１１０を個別に収納することができる。
　【００２４】
　インスツルメント１１０は、例えばハンドピース１１１と接続部１１２とを備えている。接続部１１２には、ホース１１３が連結され、ホース１１３は、装置本体１００内の駆動回路に接続されている。ハンドピース１１１は、接続部１１２に対して着脱自在である。なお、インスツルメントの種類によっては、ハンドピース１１１がホース１１３に連結されていて着脱できないものもある。インスツルメント１１０の種類は、例えば、タービン、ハンドピース、マイクロモータ、シリンジ、スケーラー等である。インスツルメント１１０には、その先端に照明用のＬＥＤが設けられているものもある。
　【００２５】
　ハンガー１０２は、通常、ドクター用のハンガーと、アシスタント用のハンガーがあるが、本実施形態では、ドクター用のハンガーのみ図示した。また、ハンガー１０２がアーム部１０５に支持されたタイプを示したが、これに限定されるものではなく、スタンド等に設置されたタイプ等、用途に応じて種々の形態を実施できる。なお、図１では、アーム部１０５の基端側の図示を省略するが、ユニット構成に応じて、例えばユニット本体１０１や歯科用椅子１０４の基台等に連結されている。
　【００２６】
　テーブル１０３の上には、この歯科用診療装置１の操作手段、表示手段、記憶手段及び制御手段としての機能を有する携帯端末２００が設置されている。また、携帯端末２００との間で近距離通信を行う本体側通信手段１５０がテーブル１０３に内蔵されている。なお、携帯端末２００及び本体側通信手段１５０については後記する。
　【００２７】
　歯科用椅子１０４は、動力によって高さや姿勢を変化させることのできる椅子である。
　本実施形態では、歯科用椅子１０４は、座面シート１０４ａと、バックレスト１０４ｂと、アームレスト１０４ｃと、ヘッドレスト１０４ｄと、レッグレスト１０４ｅと、を備えている。このうち、バックレスト１０４ｂ、アームレスト１０４ｃ及びレッグレスト１０４ｅは、それぞれ座面シート１０４ａに接続されている。また、ヘッドレスト１０４ｄはバックレスト１０４ｂに接続されている。
　座面シート１０４ａの位置を上下方向に移動させる動作のことを、以下では椅子の上昇動作又は下降動作という。椅子の上昇動作では、患者が座り易いホームポジションから、術者毎に治療に適した高さへ上昇させる。椅子の下降動作では、術者毎に治療に適した高さからホームポジションへ下降させる。
　【００２８】
　また、ホームポジションの姿勢から、バックレスト１０４ｂ、座面シート１０４ａ及びレッグレスト１０４ｅを後ろ側に向けて寝かせた姿勢（図１参照）に変化させる動作のことを、以下では椅子の寝動作という。また、バックレスト１０４ｂ、座面シート１０４ａ及びレッグレスト１０４ｅを前方に向けて元のホームポジションの姿勢に変化させる動作のことを、以下では椅子の起動作という。なお、椅子の寝動作に併せて、同時にバックレスト１０４ｂの座面シート１０４ａに対する角度を変化させたり、レッグレスト１０４ｅの座面シート１０４ａに対する角度を変化させたりしてもよい。
　【００２９】
　以下、図２を参照して歯科用診療装置１の装置本体１００及び携帯端末２００の各部について説明する。装置本体１００は、駆動回路１２０と、駆動機構１３０と、ハンガーセンサ１４０と、本体側通信手段１５０と、を備えている。
　【００３０】
　駆動回路１２０は、インスツルメント１１０を駆動するための公知の手段であり、電気回路や切換バルブ等を含んでいる。駆動回路１２０は、外部の図示しない電源、空気源、水道源等と接続されている。駆動回路１２０は、電力供給回路（マイクロモータ作動電力、照明用電力、加温用電力）、エア回路（タービン駆動用の加圧空気、霧生成用のチップエア）、水供給回路等を備えている。
　【００３１】
　例えば、水供給回路は、複数のインスツルメント１１０に共通の回路であり、使用中の１つのインスツルメント１１０にだけ接続される。ここでは、説明を簡単にするために、インスツルメント１１０を個別に駆動する駆動回路をまとめて駆動回路１２０と表記した。駆動回路１２０は、ハンガー１０２から持ち出されたインスツルメント１１０を駆動する駆動指示が入力されることで動作する。この駆動指示は、操作手段によって駆動回路１２０に入力される。
　【００３２】
　本実施形態では、操作手段は、フットコントローラ１０６及び携帯端末２００の操作表示手段２１０である。
　フットコントローラ１０６は、フットペダル１０６ａを踏み込む位置や加減により、術者が把持したインスツルメント１１０や歯科用椅子１０４を適切に動作させることができる。本実施形態では、フットコントローラ１０６は、踏み込む位置や加減の変化を検知すると、検知信号を本体側通信手段１５０を介して携帯端末２００の操作検知記録手段２６０に通知する。
　【００３３】
　また、操作表示手段２１０からの駆動指示は、本体側通信手段１５０を介して駆動回路１２０に入力される。一方、駆動回路１２０は、電力供給回路、エア回路又は水供給回路等の作動や停止を検知すると、検知信号を本体側通信手段１５０を介して携帯端末２００の操作検知記録手段２６０に通知する。例えばマイクロモータの停止を検知すると、検知信号を本体側通信手段１５０に出力する。
　【００３４】
　駆動機構１３０は、歯科用椅子１０４の昇降や姿勢変化に用いるモータや、外部の図示しない電源等と接続される電力供給回路等を備えている。駆動機構１３０は、歯科用椅子１０４についての椅子の上昇動作、下降動作、寝動作、起動作等の駆動指示が入力されることで動作する。この駆動指示は、操作手段（フットコントローラ１０６／操作表示手段２１０）によって駆動機構１３０に入力される。
　【００３５】
　本実施形態では、操作表示手段２１０からの駆動指示は、本体側通信手段１５０を介して駆動機構１３０に入力される。一方、駆動機構１３０は、電力供給回路等の作動や停止を検知すると、検知信号を本体側通信手段１５０を介して携帯端末２００の操作検知記録手段２６０に通知する。例えば椅子の上昇動作の完了を検知すると、検知信号を本体側通信手段１５０に出力する。なお、駆動機構１３０及び駆動回路１２０は主にユニット本体１０１に格納されている。
　【００３６】
　ハンガーセンサ１４０は、ハンガー１０２のホルダ毎に、インスツルメント１１０の脱着を検知するものである。ハンガーセンサ１４０は、例えば反射型又は透過型の光センサからなる。ハンガーセンサ１４０は、最初に取り上げたインスツルメント１１０に対応する検出情報のみをラッチするラッチ回路等の電気回路と共に動作することで、最初に取り上げたインスツルメント１１０を優先に１つのインスツルメント１１０のみを駆動回路１２０により駆動させることができる。本実施形態では、ハンガーセンサ１４０は、インスツルメント１１０の脱着を検知すると、検知信号を本体側通信手段１５０を介して携帯端末２００の操作検知記録手段２６０に通知する。例えば装着を検知すると、検知信号を本体側通信手段１５０に出力する。
　【００３７】
　本体側通信手段１５０は、携帯端末２００との間で各種情報を近距離無線通信で送受信する。具体的には、本体側通信手段１５０は、携帯端末２００の通信手段２３０を介して、携帯端末２００の操作表示手段２１０から、歯科用椅子１０４を駆動する駆動機構１３０に対する駆動指示を受信する。また、本体側通信手段１５０は、携帯端末２００の操作表示手段２１０から、インスツルメント１１０を駆動する駆動回路１２０に対する駆動指示を受信する。本実施形態では、本体側通信手段１５０は、携帯端末２００の操作表示手段２１０から、無影灯１０７を点灯又は消灯する指示を受信する。
　一方、本体側通信手段１５０は、例えばフットコントローラ１０６から入力する駆動指示を、携帯端末２００の通信手段２３０を介して操作検知記録手段２６０に入力する。
　ここで、近距離無線通信規格には、例えばＷｉ−Ｆｉ（登録商標）、Ｂｌｕｅｔｏｏｔｈ（登録商標）、ＺｉｇＢｅｅ（登録商標）等の無線ＬＡＮ（Ｌｏｃａｌ　Ａｒｅａ　Ｎｅｔｗｏｒｋ）を含む。
　【００３８】
　また、本体側通信手段１５０は、携帯端末２００の通信手段２３０及び通信ネットワークを介して歯科用診療装置１の外部の装置との間で情報の送受信を行うことができる。なお、本体側通信手段１５０は、携帯端末２００を介在させずに、インターネット等の通信ネットワークを介して外部装置との間で情報の送受信を行ってもよい。
　【００３９】
　携帯端末２００は、例えばパーソナルコンピュータ等の情報処理装置であって、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）、入出力インタフェース、通信インタフェース等を備えている。携帯端末２００には、後記する機能を実行するアプリケーションが動作するスマートフォンやタブレット型ＰＣ等を用いることができる。
　【００４０】
　携帯端末２００は、図２に示すように、操作表示手段２１０と、ユニット制御手段２２０と、通信手段２３０と、エラー検知手段２４０と、エラーログ記憶手段２５０と、操作検知記録手段２６０と、操作履歴記憶手段２７０と、異常検知記録手段２８０と、条件設定手段２９０と、を備えている。
　【００４１】
　本実施形態では、歯科用診療装置１は、複数の術者毎に対応可能な動作モードを有することとしており、操作表示手段２１０は、術者毎の動作モードで歯科用椅子１０４を操作することができる。操作表示手段２１０は、歯科用椅子１０４を駆動する駆動機構１３０に対して、通信手段２３０及び本体側通信手段１５０を介して駆動指示を入力する。
　本実施形態では、操作表示手段２１０は、術者毎の動作モードでインスツルメント１１０も操作することとした。操作表示手段２１０は、インスツルメント１１０を駆動する駆動回路１２０に対して、通信手段２３０及び本体側通信手段１５０を介して駆動指示を入力する。操作表示手段２１０は、タッチパネルで構成されている。すなわち、操作表示手段２１０は、操作検知記録手段２６０で記録した記録情報と異常検知記録手段２８０で記録した記録情報とを表示する表示手段としても機能する。
　【００４２】
　ユニット制御手段２２０は、操作表示手段２１０からの入力信号に応じた制御コマンドを、歯科用椅子１０４やインスツルメント１１０に対する駆動指示として生成するものである。ここで生成された駆動指示は、通信手段２３０及び本体側通信手段１５０を介して、駆動機構１３０、駆動回路１２０、又は無影灯１０７に出力される。
　ユニット制御手段２２０は、装置本体１００から通信手段２３０を介して受信する、術者の操作に関わる検知信号を操作検知記録手段２６０や異常検知記録手段２８０に出力する。ユニット制御手段２２０は、装置本体１００から通信手段２３０を介して受信する、異常に関わる検知信号をエラー検知手段２４０や異常検知記録手段２８０に出力する。
　通信手段２３０は、本体側通信手段１５０との間で駆動指示や検知信号を送受信するものであって、所定の通信インタフェースを備えている。
　【００４３】
　エラー検知手段２４０は、装置本体１００から異常の検知信号を受信する毎にエラーログ記憶手段２５０に異常発生順で異常の内容をエラー情報として蓄積する。ここで、装置本体１００から送られる異常の検知信号とは、単なる異常発生情報であり、通常の歯科用診療装置において各部が正常に動作しているかセンシングするために配備されている各種センサがセンシングしたエラー情報を通知する信号を意味する。本実施形態では、エラー検知手段２４０は、時計機能を有しており、時刻情報を含めたエラー情報をエラーログ記憶手段２５０に蓄積する。
　【００４４】
　エラーログ記憶手段２５０は、装置本体１００から送られる異常の検知信号を蓄積するものであり、例えば一般的なメモリ等で構成される。蓄積されたエラー情報は、サービスマンが操作表示手段２１０から操作することでサービスマン操作画面に表示される。エラーログ記憶手段２５０は、時刻情報を含めたエラー情報を蓄積しているので、例えば、各種センサがセンシングするエラーの中で注目するエラーがどのくらいの頻度で発生しているのかといった情報を取得できることから、保守・メンテナンス等に利用することができる。
　【００４５】
　操作検知記録手段２６０は、術者が操作手段（フットコントローラ１０６／操作表示手段２１０）を操作した内容を操作履歴記憶手段２７０に記録するものである。本実施形態では、操作検知記録手段２６０は、術者毎に操作手段を操作した操作内容及び術者名を操作履歴記憶手段２７０に記録する。具体的には、操作検知記録手段２６０は、装置本体１００から、術者の操作に関わる検知信号を受信すると、その操作内容と、その時点の動作モードで選択されている術者名とを時刻情報と共に操作履歴記憶手段２７０に記録する。これにより、歯科用診療装置１で不具合が発生した際に、サービスマンは、不具合発生以前に記録された術者の操作履歴等の記録情報を調査することで不具合の原因を特定し易くなる。
　【００４６】
　本実施形態では、操作検知記録手段２６０は、異常検知記録手段２８０が予め定められた異常を検知した場合、操作履歴記憶手段２７０への記録動作を停止することとした。このように構成することで、操作履歴記憶手段２７０は、エラーログ記憶手段２５０と対比すると、エラーがどのくらいの頻度で発生しているのかといった情報を取得するためではなく、１回の故障が発生したときに、その要因と考えられる術者の操作を記録情報の中から特定するためのものとなる。これにより、歯科用診療装置１で不具合が発生した際に、サービスマンは、操作履歴記憶手段２７０において最後に記録された操作の内容を、不具合発生の原因として特定することができる。
　【００４７】
　なお、サービスマンが、操作履歴記憶手段２７０に蓄積された情報と、エラーログ記憶手段２５０に蓄積された情報とを関連させて扱うことで、故障の原因となった術者の操作等を絞り込みし易くなるので、そのように運用することが好ましい。
　【００４８】
　操作履歴記憶手段２７０は、予め定められた異常の内容と、その異常が発生する以前の術者の操作内容とを記憶するものであり、例えば一般的なメモリ等で構成される。操作履歴記憶手段２７０は、例えば修理が必要な１回の不具合が発生したときに、その要因と考えられる術者の操作を特定するために用いることができればよいので、大容量のメモリを必要としていない。そこで、操作履歴記憶手段２７０をメモリ容量が小さなリングバッファで構成することとした。これにより、操作履歴記憶手段２７０は、上書きされるまで記録を残し続けるのでコストを低減できる。
　【００４９】
　異常検知記録手段２８０は、予め定められた異常を検知すると異常の内容を操作履歴記憶手段２７０に記録するものである。本実施形態では、異常検知記録手段２８０は、予め定められた異常を検知すると異常の内容及び術者名を操作履歴記憶手段２７０に記録する。ここで、予め定められた異常とは、通常の歯科用診療装置が配備している各種センサでセンシングされるエラー情報で認識される異常のうち、例えば、歯科用椅子１０４が作動しなくなる等のサービスマンによる修理や部品交換が必要な故障を挙げることができる。異常検知記録手段２８０で検知する異常の条件は、製品の出荷前に固定的に設定しておいてもよいが、本実施形態では、一例として、保守点検時に、サービスマンが随時設定できるようにした。このため、異常検知記録手段２８０は、条件設定手段２９０により設定された条件に基づいて異常を検知することができる。
　なお、異常検知記録手段２８０、操作履歴記憶手段２７０及び操作検知記録手段２６０の機能を、エラーログ記憶手段２５０と区別して、以下ではエラーレコーダーとも呼ぶ。
　【００５０】
　条件設定手段２９０は、異常検知記録手段２８０で検知する異常の条件として、予め定められた条件を設定するものである。本実施形態では、条件設定手段２９０は、サービスマンによる動作モードにおいてサービスマンの操作により、異常検知において異常の対象としない条件を設定することとした。つまり、条件設定手段２９０は、各種センサでセンシングされる種々のエラー情報のうち、故障と関連する可能性が低いと思われるような異常をフィルタリングする条件を設定する。
　【００５１】
［歯科用診療装置の動作］
　次に、歯科用診療装置１の動作として、携帯端末２００の操作表示手段２１０に表示される画面の画面遷移について説明する。以下では、術者のことをユーザーとも呼ぶ。携帯端末２００のアプリケーションを起動すると、スタートアップ画面を表示し、所定のアイコンを選択すると、ユーザー操作画面に遷移することができる。さらに、所定のメニュー画面から、サービスマン操作画面に遷移することができる。
　【００５２】
＜ユーザー操作画面＞
　ユーザー操作画面は、術者にとって便利な様々なサービスに対応するように構築されるが、ここでは、ドクター等の術者が治療や診断を行うための操作に関するユーザー操作画面について図３から図５を適宜参照しながら説明する。図３は、ユーザー選択画面の一例を示す図である。図４は、ユニット待機画面の一例を示す図である。図５は、タービン操作画面の一例を示す図である。
　【００５３】
　図３に示すように、ユーザー選択画面には、登録ユーザー選択部３０１が設けられている。この例では１つの歯科用診療装置１を８人の術者で共用可能である。術者は、別の設定画面において、歯科用椅子１０４についての術者が使い勝手の良い位置を設定したり、インスツルメント１１０についての術者が使い勝手の良い機能を設定したりする。ここでは、別画面で設定された６人の術者（ドクター）の番号及び術者名が表示されている。術者は、ユーザー選択画面を表示させたときに、自分の番号を選択することで、ユニット待機画面（図４）に遷移し、術者毎の動作モードで歯科用診療装置１を扱うことができる。なお、ユーザー選択画面には、ゲストユーザー選択部３０２も設けられており、別画面で番号を設定することなく使用することもできる。
　【００５４】
　図４に示すように、ユニット待機画面の上部には、術者名が表示される。ここでは、図３のユーザー選択画面で、番号１（Ｄｒ．Ｓｍｉｔｈ）が選択されたことが分かる。
　ユニット待機画面の左側には、歯科用椅子１０４についての操作部として、チェアマニュアル動作操作部４０１と、チェアオート動作操作部４０２と、が設けられている。
　【００５５】
　チェアマニュアル動作操作部４０１は、椅子の上昇動作、下降動作、寝動作、起動作を操作することが直感的に分かるような４個のアイコンを備えている。これらのアイコンを押し続ければ椅子の各動作が継続する。
　チェアオート動作操作部４０２は、一旦選択すると、予めユーザーがメモリー設定した椅子の位置や姿勢となるように動作させるアイコン（治療位置Ｓ１，Ｓ２、うがい位置、ホームポジション）を備えている。
　また、ユニット待機画面の下部には、無影灯操作部４０３が設けられており、無影灯１０７を点灯又は消灯することができる。
　【００５６】
　また、ユニット待機画面の右側には、歯科用診療装置１が備えるインスツルメント１１０の情報が表示されるように設定されている。ここでは、２本のタービンハンドピースと、マイクロモータと、スケーラーと、がハンガー１０２の各ホルダにセットされていることが分かる。インスツルメントがスプレー機能や照明機能等を有する場合、それらの機能や性能も表示される。術者が、表示されたいずれかのインスツルメントをハンガー１０２から取り出すと、取り出したインスツルメントの機能や性能に応じた、インスツルメント操作画面（図５）に遷移する。
　【００５７】
　図５に示すように、タービン操作画面において、術者名の下側には、ハンガー１０２から取り出されたインスツルメントの名称が表示され、その機能及び性能に応じた操作ボタンが表示される。ここでは、図４のユニット待機画面で、左端のタービンハンドピースが選択されたことが分かる。
　【００５８】
　タービン操作画面には、このタービンハンドピースについての操作部として、スプレー機能操作部５０１と、照明機能操作部５０２と、が設けられている。
　スプレー機能操作部５０１は、このタービンハンドピースに供給されるエアと水とを混合したスプレーを吐出するスプレー機能をオン又はオフすることができる。
　照明機能操作部５０２は、このタービンハンドピースに設置された照明用ＬＥＤを点灯する照明機能をオン又はオフすることができる。
　【００５９】
　術者が、このタービンハンドピースを把持して、フットコントローラ１０６のフットペダル１０６ａを踏み込むと、注水されながら圧縮空気の力によって切削工具が高速回転してタービンハンドピースが歯を研削する動作をすることができる。なお、タービン操作画面の右側には、現在のエアのパワーがパーセント表示されると共に、フットコントローラ１０６を最大にしたときのエアのパワーの設定値（最大パワー）がパーセント表示される。
　【００６０】
　図４のユニット待機画面の右側に表示された他のインスツルメント（もう１つのタービンハンドピース、マイクロモータ、スケーラー）をハンガー１０２から取り出すと、それぞれ専用の操作画面に遷移するが、これらについては説明を省略する。
　【００６１】
　次に、歯科用診療装置１の動作として、操作履歴記憶手段２７０への記録動作について図６を参照（適宜、図１及び図２参照）して説明する。図６は、操作履歴記憶手段の一例を模式的に示す図である。ここでは、操作履歴記憶手段２７０がリングバッファで構成され、合計２４個の動作を上書き可能に構成されていることをリング形状で模式的に示しているが、例えば１００〜１０００個の動作を記録することができる。
　【００６２】
　例えば術者が把持して作動させていたタービンハンドピースを停止させるためにフットコントローラ１０６のフットペダル１０６ａの踏み込みをやめると、フットコントローラ１０６は、その検知信号を本体側通信手段１５０を介して携帯端末２００の操作検知記録手段２６０に通知する。これにより、操作検知記録手段２６０は、符号６０１で示すように、フットペダル１０６ａからの入力があったことを示す操作内容を時刻情報と共に操作履歴記憶手段２７０に記録する。
　【００６３】
　次に、例えば術者がタービンハンドピースをハンガー１０２のホルダに収納すると、そのホルダに設置されたハンガーセンサ１４０は、タービンハンドピースの装着を検知し、その検知信号を本体側通信手段１５０を介して携帯端末２００の操作検知記録手段２６０に通知する。これにより、操作検知記録手段２６０は、符号６０２で示すように、タービンハンドピースがハンガー１０２のホルダに収納されたことを示す操作内容を時刻情報と共に操作履歴記憶手段２７０に記録する。
　【００６４】
　次に、例えば術者が図４のチェアマニュアル動作操作部４０１において椅子の上昇動作を選択すると、携帯端末２００の操作表示手段２１０からの入力信号に応じて、ユニット制御手段２２０は、歯科用椅子１０４について椅子の上昇動作を指示する駆動指示を生成して通信手段２３０に出力する。この駆動指示は、本体側通信手段１５０を介して駆動機構１３０に入力され、駆動機構１３０は、椅子の上昇動作を行う。そして、駆動機構１３０は、例えば椅子の上昇動作の完了を検知すると、その検知信号を本体側通信手段１５０を介して携帯端末２００の操作検知記録手段２６０に通知する。これにより、操作検知記録手段２６０は、符号６０３で示すように、椅子の上昇動作を示す操作内容を時刻情報と共に操作履歴記憶手段２７０に記録する。なお、操作検知記録手段２６０は、携帯端末２００の操作表示手段２１０からの入力信号に応じて、例えば椅子の上昇動作を示す操作内容を時刻情報と共に操作履歴記憶手段２７０に記録するようにしてもよい。
　【００６５】
　次に、例えば術者が図４のチェアマニュアル動作操作部４０１において椅子の寝動作を選択すると、椅子の上昇動作のときと同様の処理手順の結果、操作検知記録手段２６０は、符号６０４で示すように、椅子の寝動作を示す操作内容を時刻情報と共に操作履歴記憶手段２７０に記録する。
　【００６６】
　また、駆動機構１３０が、例えば歯科用椅子１０４についての異常を検知すると、その検知信号を本体側通信手段１５０を介して携帯端末２００の異常検知記録手段２８０に通知する。これにより、異常検知記録手段２８０は、受信した異常が予め定められた条件を満たすか判定し、満たす場合、符号６０５で示すように、受信した異常の内容を時刻情報と共に操作履歴記憶手段２７０に記録する。
　本実施形態では、異常検知記録手段２８０が予め定められた条件を満たす異常が発生したと判定した場合、操作検知記録手段２６０は、記録動作を停止する。
　なお、上記操作検知記録手段２６０及び異常検知記録手段２８０は、記録動作を行う時点で選択されている術者名も併せて操作履歴記憶手段２７０に記録する。
　【００６７】
＜サービスマン操作画面＞
　次に、サービスマン操作画面について説明する。サービスマン操作画面は、保守やメンテナンスに対して便利な様々な機能に対応するように構築されるが、ここでは、歯科用診療装置１が設置された現場でサービスマンが修理をするために利用する、操作履歴記憶手段２７０等（エラーレコーダー）に関するサービスマン操作画面について図７及び図８を参照しながら説明する。図７及び図８は、エラーレコーダーに関するサービスマン操作画面の一例を示す図である。
　【００６８】
　エラーレコーダーに関するサービスマン操作画面には、図７に示すように、記録操作開始ボタン７０１と、非表示項目選択部７０２とが設けられており、加えて、図８に示すように、異常検知記録手段２８０による記録内容の表示部８０１と、操作検知記録手段２６０による記録内容の表示部８０２とが設けられている。なお、図７は記録動作開始直後における画面を示しており、図８は記録動作終了後における画面を示している。よって、記録動作開始直後は、いまだ情報が未収集であり、図７では、表示部８０１，８０２の上に、記録動作中であることをサービスマンに報知するための表示がオーバーラップされている。
　【００６９】
　記録操作開始ボタン７０１は、エラーレコーダーの記録動作を開始するための操作ボタンである。図７において、記録操作開始ボタン７０１の中にＳＴＯＰと表示されているのは、記録中にこのボタンを押すと強制停止できることを表している。一方、図８において、この記録操作開始ボタンの中にＳＴＡＲＴと表示されているのは、記録動作終了後にこのボタンを押すことによって現在の記録内容をリセットして新たに記録動作を開始できることを表している。
　【００７０】
　また、保守点検時等にエラーレコーダーに関するサービスマン操作画面においてサービスマンが記録動作の開始をセットした後は、術者は、このエラーレコーダーを意識することなく、ユーザー操作画面を操作することで、種々のサービスを享受することができる。なお、エラーレコーダーの記録内容は歯科用診療装置の修理や改善に利用されるものであって厳重に保護される。
　【００７１】
　非表示項目選択部７０２は、チェックボックスにチェックを入れる操作をすることで、サービスマンが、表示すべきエラーとして取り扱いたくない項目を選択することができる。ここで、表示すべきエラーとして取り扱いたくない操作とは、メーカーで想定している標準的な操作ではないためにエラーとして認識され易いものの、そのような操作自体が原因で修理が必要な故障が発生するとは考えにくい操作を挙げることができる。
　【００７２】
　具体的には、図７に示す二重押しとは、例えばチェアマニュアル動作操作部４０１のいずれかのアイコンを続けて２度押す操作をエラーとして認識するように予め設定されているときに、続けて２度押す操作がなされることを示している。
　また、ドライブ緊急とは、例えばフットコントローラ１０６のフットペダル１０６ａを続けて２度踏む操作をエラーとして認識するように予め設定されているときに、標準的ではない操作として、続けて２度踏む操作がなされることを示している。
　また、タブレット通信とは、例えば歯科用診療装置１の主電源を切る操作を行うと、装置本体１００の本体側通信手段１５０と、携帯端末２００の通信手段２３０との通信が途切れることを示している。
　これらのチェックボックスにチェックを入れると、表示すべきエラーとしては認識されなくなる。
　【００７３】
　異常検知記録手段２８０による記録内容の表示部８０１は、携帯端末２００の操作履歴記憶手段２７０に記録された、予め定められた条件を満たす異常の情報を表示する。具体的には、図８に示すように、この異常が発生した日時と、このときユーザー選択画面（図３）で選択されていた術者名と、その異常の内容と、が表示される。ここでは、一例として、歯科用椅子１０４のバックレスト１０４ｂが作動中に緊急停止するという故障が発生したことが分かる。
　【００７４】
　操作検知記録手段２６０による記録内容の表示部８０２は、携帯端末２００の操作履歴記憶手段２７０に蓄積された、術者の操作に関わる情報を表示する。具体的には、図８に示すように、術者による操作が検知された日時と、このときユーザー選択画面（図３）で選択されていたユーザー名（術者名）と、その操作の内容と、が時系列に表示される。なお、ここでは、一例として、図６を参照して説明したユーザー操作が行われたものとしている。
　【００７５】
　例えば歯科用椅子１０４のバックレスト１０４ｂが停止する不具合を解消するため、歯科医院のスタッフがサービスマンを呼ぶと、サービスマンは現場で携帯端末２００を操作して、サービスマン操作画面（図８）を確認する。この表示により、サービスマンは、最後に記録されたユーザー操作、すなわち、椅子の寝動作を行う操作が、バックレスト１０４ｂが停止する不具合の要因になったと判断することができる。また、サービスマン操作画面（図８）には、不具合発生時に歯科用診療装置１を操作したユーザー名（術者名）が表示されるので、サービスマンは、どの術者に取材すればよいのかを容易に知ることができる。
　【００７６】
　以上説明したように、本実施形態に係る歯科用診療装置１は、エラーレコーダーに関するサービスマン操作画面においてサービスマンが記録動作の開始をセットすると、操作履歴記憶手段２７０に術者の操作内容を記録し続け、予め定められた異常が発生すると記録動作を停止する。現場に駆け付けたサービスマンは、操作履歴記憶手段２７０に蓄積された術者の操作の履歴を用いることで、従来は現場で再現が難しかった不具合を再現することが可能となり、修理を容易にすることができる。これにより、歯科用診療装置１は、不具合の修正時間を大幅に短縮させることができる。
　【００７７】
　以上、実施形態に基づいて本発明に係る歯科用診療装置について説明したが、本発明はこれに限定されるものではない。
（変形例１）
　条件設定手段２９０は、サービスマンの操作により、異常検知において異常の対象としない条件、すなわち、フィルタリングする条件を設定することとしたが、異常検知において異常のターゲットとする条件を設定することもできる。この場合、図７の非表示項目選択部７０２を、表示項目選択部に変更して、チェックボックスにチェックを入れる操作をすることで、サービスマンが、表示すべきエラーとして取り扱いたい項目を選択するようにすればよい。
　【００７８】
（変形例２）
　異常検知記録手段２８０の処理とエラー検知手段２４０の処理とは独立であるものとして説明したが、異常検知記録手段２８０の処理とエラー検知手段２４０の処理とを連携させるようにしてもよい。例えば異常検知記録手段２８０が、エラー検知手段２４０からエラー検知情報を取得することでエラーを検知し、検知されたエラーが、条件設定手段２９０で設定された条件に合致すると判定した場合に、そのエラーを条件を満たす異常として記録することができる。この場合、異常検知記録手段２８０は、独自のエラー検知機能を必要としないので、構成を簡素化することができる。
　【００７９】
（変形例３）
　異常検知記録手段２８０が予め定められた異常を検知した場合、操作検知記録手段２６０が、操作履歴記憶手段２７０への記録動作を停止する態様の場合、操作履歴記憶手段２７０は、個別に使用する複数のリングバッファを備えることもできる。例えば、１００個の動作を記録するリングバッファを、１０セット設けて合計１０００個の動作を記録する。そして、記録動作を停止するような故障が検知された場合、操作検知記録手段２６０は、使用中のリングバッファへの記録動作を停止すると共に、未使用のリングバッファへの記録動作を開始すればよい。このように構成することで、歯科用椅子１０４の動作停止に至らずに診療が続けられてサービスマンを呼ぶまでもない程度の異常も複数回記録することができるようになる。例えば、歯科用診療装置が不具合で停止してしまった後、再始動することもあるが、このような場合、再始動以降の記録を残すことが可能になる。
　【００８０】
（変形例４）
　操作履歴記憶手段２７０は、リングバッファの構成に限定されるものではなく、上書きを前提としない大容量メモリであってもよい。この場合、サービスマンが蓄積された記録を定期的に消去する。
（変形例５）
　操作履歴記憶手段２７０が充分に大きな容量を有するメモリであれば、異常検知時に操作検知記録手段２６０は操作履歴記憶手段２７０への記録動作を停止する必要はない。この場合でも、サービスマンは、操作履歴記憶手段２７０に蓄積された情報と、エラーログ記憶手段２５０に蓄積された情報とを関連させて扱うことで、不具合の原因を絞り込むことができる。
　【００８１】
（変形例６）
　前記実施形態では、操作表示手段２１０と、ユニット制御手段２２０と、エラー検知手段２４０と、エラーログ記憶手段２５０と、操作検知記録手段２６０と、操作履歴記憶手段２７０と、異常検知記録手段２８０と、条件設定手段２９０と、を携帯端末２００が備えることとしたが、これらの手段を装置本体１００に備えるようにしてもよい。この場合、携帯端末２００は、通信手段２３０を介して装置本体１００から、術者の操作履歴や異常内容を受信して操作表示手段２１０に表示させてもよいし、あるいは、装置本体１００側に設けた表示手段に表示させてもよい。
　【００８２】
（変形例７）
　前記実施形態では、歯科用診療装置１は、複数の術者毎に対応可能な動作モードを有することとしたが、単数の術者に対応可能な動作モードであっても構わない。
　また、患者毎に対応可能な動作モードを有することとしてもよい。この場合、操作検知記録手段２６０は、患者毎に、複数又は単数の術者が操作手段を操作した操作内容及び術者名若しくは患者名を操作履歴記憶手段２７０に記録する。加えて、異常検知記録手段２８０、予め定められた異常を検知すると異常の内容及び術者名若しくは患者名を操作履歴記憶手段２７０に記録する。
　【００８３】
（変形例８）
　歯科用診療装置が歯科用ユニットで構成されている場合、歯科用のインスツルメント１１０やハンガー１０２は必須ではなく、少なくとも歯科用椅子１０４を備えていればよい。また、歯科用診療装置は、歯科用ユニットに限定されるものではなく、例えば、Ｘ線撮影装置を含み、操作手段がＸ線撮影装置を操作する操作手段であってもよい。
　また、歯科用診療装置は、Ｘ線ＣＴ装置を含み、操作手段がＸ線ＣＴ装置を操作する操作手段であってもよい。
　また、歯科用診療装置は、レーザ装置を含み、操作手段がレーザ装置を操作する操作手段であってもよい。
　さらに、歯科用診療装置は、歯科用インスツルメントや歯科用小機器であってもよい。
　【符号の説明】
　【００８４】
　１　　　歯科用診療装置
　１００　装置本体
　１０１　ユニット本体
　１０２　ハンガー
　１０３　テーブル
　１０４　歯科用椅子
　１０６　フットコントローラ
　１２０　駆動回路
　１３０　駆動機構
　１５０　本体側通信手段
　２００　携帯端末
　２１０　操作表示手段
　２６０　操作検知記録手段
　２７０　操作履歴記憶手段
　２８０　異常検知記録手段
　２９０　条件設定手段
（５７）【特許請求の範囲】
　【請求項１】
　歯科診療に供される歯科用診療装置であって、
　操作手段と、
　術者が前記操作手段を操作した内容を記憶手段に記録する操作検知記録手段と、
　予め定められた異常を検知すると異常の内容を前記記憶手段に記録する異常検知記録手段と、
を備え、
　複数若しくは単数の術者毎に又は患者毎に対応可能な動作モードを有し、
　前記操作検知記録手段は、術者毎に又は患者毎に前記操作手段を操作した操作内容及び術者名若しくは患者名を前記記憶手段に記録し、
　前記異常検知記録手段は、予め定められた異常を検知すると異常の内容及び術者名若しくは患者名を前記記憶手段に記録することを特徴とする歯科用診療装置。
　【請求項２】
　歯科診療に供される歯科用診療装置であって、
　操作手段と、
　術者が前記操作手段を操作した内容を記憶手段に記録する操作検知記録手段と、
　予め定められた異常を検知すると異常の内容を前記記憶手段に記録する異常検知記録手段と、
を備え、
　前記予め定められた異常を検知した場合、前記操作検知記録手段は前記記憶手段への記録動作を停止することを特徴とする歯科用診療装置。
　【請求項３】
　前記予め定められた異常の条件を設定する条件設定手段を備え、
　前記異常検知記録手段は、前記条件設定手段により設定された条件に基づいて異常を検知する、請求項２に記載の歯科用診療装置。
　【請求項４】
　歯科診療に供される歯科用診療装置であって、
　操作手段と、
　術者が前記操作手段を操作した内容を記憶手段に記録する操作検知記録手段と、
　予め定められた異常を検知すると異常の内容を前記記憶手段に記録する異常検知記録手段と、
を備え、
　前記操作検知記録手段、前記記憶手段及び前記異常検知記録手段を有する携帯端末と、
　前記携帯端末と通信可能な通信手段と、を備え、
　前記操作手段は、前記携帯端末のタッチパネルで構成され、歯科用椅子を駆動する駆動機構及び歯科用のインスツルメントを駆動する駆動回路に対して、前記通信手段を介して駆動指示を入力することを特徴とする歯科用診療装置。
　【請求項５】
　前記操作手段は、前記駆動機構及び前記駆動回路に対して駆動指示を入力するフットコントローラをさらに含み、
　前記通信手段は、前記フットコントローラから入力する駆動指示を、前記操作検知記録手段に入力する、請求項４に記載の歯科用診療装置。
　【請求項６】
　少なくとも歯科用椅子を含み、
　前記操作手段は前記歯科用椅子を操作する操作手段を含む、請求項１から請求項５のいずれか一項に記載の歯科用診療装置。
　【請求項７】
　前記記憶手段は、リングバッファで構成されている、請求項１から請求項６のいずれか一項に記載の歯科用診療装置。
　【請求項８】
　前記操作検知記録手段で記録した記録情報と前記異常検知記録手段で記録した記録情報とを表示する表示手段を設けたことを特徴とする請求項１、２、３、５、６および７のいずれか一項に記載の歯科用診療装置。
　【請求項９】
（削除）
　【請求項１０】
　前記予め定められた異常を検知した場合、前記操作検知記録手段は前記記憶手段への記録動作を停止することを特徴とする請求項１、４および５のいずれか一項に記載の歯科用診療装置。
　【請求項１１】
　前記操作検知記録手段、前記記憶手段及び前記異常検知記録手段を有する携帯端末と、
　前記携帯端末と通信可能な通信手段と、を備え、
　前記操作手段は、前記携帯端末のタッチパネルで構成され、歯科用椅子を駆動する駆動機構及び歯科用のインスツルメントを駆動する駆動回路に対して、前記通信手段を介して駆動指示を入力することを特徴とする請求項１に記載の歯科用診療装置。